【手続補正書】
【提出日】平成16年4月7日(2004.4.7)
【手続補正１】
【補正対象書類名】明細書
【補正対象項目名】全文
【補正方法】変更
【補正の内容】
【書類名】明細書
【発明の名称】動的チャネル割当てのための符号電力測定
【特許請求の範囲】
【請求項１】無線時分割二重通信システムのセルの中で各々が時間スロットおよび符号に関連づけられているリソース単位を割り当てる方法であって、
前記セルのリソース単位のうちの選ばれたものについて、そのリソース単位の符号を用いてそのリソース単位の時間スロットの期間中に符号干渉レベルを測定するとともに、そのリソース単位の符号干渉レベルと閾値との比較に基づきそのリソース単位が受入れ可能な符号干渉レベルを備えるか否かを判定する過程と、
前記選ばれたリソース単位の中で受入れ可能な符号干渉レベルを備えるものを通信信号に割り当てる過程と
を含む方法。
【請求項２】選ばれた時間スロットの中で時間スロット干渉レベルを測定する過程と、
前記選ばれた時間スロットの各々について前記時間スロット干渉レベル測定値を閾値と比較する過程と、
前記比較の結果に基づき、前記選ばれた時間スロットの前記干渉レベルを消去する過程と
をさらに含み、前記選ばれたリソース単位が前記干渉レベル消去の時間スロットのリソース単位を含まないようにする請求項１記載の方法。
【請求項３】前記時間スロット干渉レベルの測定を干渉信号符号電力（ＩＳＣＰ）を用いて行う請求項２記載の方法。
【請求項４】前記ＩＳＣＰの測定をミドアンブル受信電力を用いて行う請求項３記載の方法。
【請求項５】前記時間スロット干渉レベルの測定をセル間干渉の尺度を用いて行う請求項２記載の方法。
【請求項６】前記時間スロット干渉レベル測定値比較が、その測定値が前記閾値を超えているか否か、および前記選ばれた時間スロットの中の前記消去対象が前記閾値を超えているか否かの判定を行う請求項２記載の方法。
【請求項７】前記選ばれたリソース単位のどれを消去するかを示す優先順位マトリクスを形成する過程をさらに含む請求項２記載の方法。
【請求項８】前記優先順位マトリクスが消去ずみの時間スロットを示す請求項７記載の方法。
【請求項９】前記リソース単位の割当てを、前記優先順位マトリクスの読出しと、その優先順位マトリクスで読み出した最初の利用可能なリソース単位の割当てとによって行う請求項７記載の方法。
【請求項１０】前記リソース単位の割当てを、前記優先順位マトリクスの中の最低干渉レベルのリソース単位を最初に割り当てることによって行う請求項７記載の方法。
【請求項１１】前記リソース単位の割当てを、ユーザ装置の複数のリソース単位を互いに相続く時間スロットに割り当てることによって行う請求項７記載の方法。
【請求項１２】前記リソース単位の割当てをユーザ装置の複数のリソース単位を単一の時間スロットに割り当てることによって行う請求項７記載の方法。
【請求項１３】符号分割多元接続による無線時分割二重通信システムであって、
リソース単位についての符号干渉レベルを受信し、それら受信した符号干渉レベルにより優先順位マトリクスを形成するとともに、その優先順位マトリクスを用いてリソース単位を通信信号に割り当てるリソース単位割当て装置
を含む基地局と、
自局の符号を用いてその自局の時間スロット内にリソース単位の符号干渉レベルを測定する符号電力干渉測定装置、および
符号電力干渉測定値を基地局用に測定するとともに、基地局の割り当てたリソース単位を用いてリソース単位を通信信号に割り当てるリソース単位割当て装置
を含むユーザ装置と
を含むシステム。
【請求項１４】前記リソース単位の時間スロットの中で前記リソース単位の符号を用いてそのリソース単位の符号干渉レベルを測定する符号電力干渉測定装置を前記基地局がさらに含む請求項１３記載のシステム。
【請求項１５】時間スロットの干渉レベルを測定する時間スロット干渉測定装置と、それら時間スロットの干渉レベル測定値を前記基地局用に送るリソース単位割当て装置とを前記ユーザ装置がさらに含む請求項１３記載のシステム。
【請求項１６】時間スロットの干渉レベルを測定する時間スロット干渉測定装置を前記基地局がさらに含む請求項１４記載のシステム。
【請求項１７】前記ユーザ装置が符号干渉レベルの測定を周期的に行う請求項１３記載のシステム。
【請求項１８】前記ユーザ装置が符号干渉レベルの測定を前記基地局から指示されたときに行う請求項１３記載のシステム。
【請求項１９】前記基地局の前記リソース単位割当て装置が、前記選ばれた時間スロットのうち閾値を超える干渉測定値を有するものを消去する請求項１５記載のシステム。
【請求項２０】前記優先順位マトリクスが消去ずみの時間スロットを示す請求項１９記載のシステム。
【請求項２１】前記リソース単位の割当てを、干渉レベル最低優先順位マトリクスの中のリソース単位をまず割り当てることによって行う請求項１３記載のシステム。
【請求項２２】前記リソース単位の割当てを、ユーザ装置の複数リソース単位を互いに相続く時間スロットに割り当てることによって行う請求項１３記載のシステム。
【請求項２３】前記リソース単位の割当てを、ユーザ装置の複数のリソース単位を同じ時間スロットに割り当てることによって行う請求項１３記載のシステム。
【請求項２４】符号分割多元接続通信システムに使用ずみの可能性のある所望の符号について干渉レベルを測定する符号電力測定装置であって、
前記所望の符号により使用ずみの可能性のある受信無線周波数スペクトラムに対応する信号を受信する手段と、
前記受信した信号と前記所望の符号との相関をとる手段と、
前記相関をとった信号の電力レベルを測定する手段と
を含む符号電力測定装置。
【請求項２５】前記相関をとる手段が整合フィルタを含む請求項２４記載の符号電力測定装置。
【請求項２６】前記相関をとる手段が逆拡散器を含む請求項２４記載の符号電力測定装置。
【請求項２７】前記所望の符号が複素数であり、前記相関をとる手段が複素乗算を行う請求項２４記載の符号電力測定装置。
【請求項２８】前記相関をとる手段が相関器を含む請求項２４記載の符号電力測定装置。
【請求項２９】前記電力レベル測定手段の出力が、前記相関をとった信号の電力レベルの測定値の指標である請求項２４記載の符号電力測定装置。
【請求項３０】電力レベルの測定値を対象の時間スロット内における測定により得る時分割二重／符号分割多元接続システム用の請求項２４記載の符号電力測定装置。
【請求項３１】符号分割多元接続通信システムに使用ずみの可能性のある所望の符号について干渉レベルを測定する符号電力測定装置であって、
前記所望の符号により使用ずみの可能性のある受信無線周波数スペクトラムに対応する信号を受信するように構成した入力と、
前記受信した信号と前記所望の符号との相関をとる相関装置と、
前記相関をとった信号の電力レベルを測定する電力測定装置と
を含む符号電力測定装置。
【請求項３２】前記相関をとる手段が整合フィルタを含む請求項３１記載の符号電力測定装置。
【請求項３３】前記相関をとる手段が逆拡散器を含む請求項３１記載の符号電力測定装置。
【請求項３４】前記所望の符号が複素数であり、前記相関をとる手段が複素乗算を行う請求項３１記載の符号電力測定装置。
【請求項３５】前記相関をとる手段が相関器を含む請求項３１記載の符号電力測定装置。
【請求項３６】前記電力レベル測定手段の出力が、前記相関をとった信号の電力レベルの測定値の指標である請求項３１記載の符号電力測定装置。
【請求項３７】電力レベルの測定値を対象の時間スロット内における測定により得る時分割二重／符号分割多元接続システム用の請求項３１記載の符号電力測定装置。
【請求項３８】符号分割多元接続通信システムに使用ずみの可能性のある所望の符号について干渉レベルを測定する符号電力測定方法であって、
前記所望の符号により使用ずみの可能性のある受信無線周波数スペクトラムに対応する信号を受信する過程と、
前記受信した信号と前記所望の符号との相関をとる過程と、
前記相関をとった信号の電力レベルを測定する過程と
を含む符号電力測定方法。
【請求項３９】前記電力レベルの測定値の指標を算定する過程をさらに含む請求項３８記載の方法。
【請求項４０】前記電力レベルの測定を対象の時間スロット内で行う時分割二重／符号分割多元接続システム用の請求項３８記載の方法。
【発明の詳細な説明】
【発明の分野】
【０００１】
この発明は概括的には符号分割多元接続を用いた無線スペクトラム拡散時分割二重通信システムにおけるリソース割当てに関する。より詳細には、この発明はこの種の通信システムにおける時間スロットおよび符号の割当てに関する。
【従来技術の説明】
【０００２】
図１は符号分割多元接続（ＣＤＭＡ）を用いた無線スペクトラム拡散時分割二重（ＴＤＤ）通信システムを示す。このシステムは複数の基地局２０１−２０７を有する。各基地局２１１はその稼働範囲、すなわちセルの中のユーザ装置（ＵＥ）２１１−２２３と交信する。基地局２０１からユーザ装置２２１への通信信号をダウンリンク通信信号と呼び、ユーザ装置２２１から基地局２０１への通信信号をアップリンク通信信号と呼ぶ。スペクトラム拡散ＴＤＤ／ＣＤＭＡ通信システムは、互いに異なる周波数スペクトラム経由で複数の通信信号を伝送するほか、同じスペクトラム経由で複数の通信信号を伝送する。これら複数の通信信号はそれぞれの符号で互いに区別される。
【０００３】
特定の符号を用いて送られた一つの信号は同一スペクトラム経由のそれ以外の信号から区別できるので、各符号が同一のスペクトラムの中で仮想の通信チャネルを形成する。互いに異なるセルを発信元とする信号を互いに区別するために、基地局２０１−２０７にはスクランブル符号ｃ＊ｓｃｒａｍｂをそれぞれ割り当てる。この種の通信システムで特定のデータ信号を送信するには、そのデータ信号をその基地局のスクランブル符号ｃ＊ｓｃｒａｍｂとまず混合し、上記割り当てられたチャネル符号を用いてスペクトラム拡散する。
【０００４】
また、スペクトラム拡散をより効率的に用いるために、ＴＤＤ／ＣＤＭＡ通信システムは、図２に示すとおり例えば１５個の時間スロットなど多数の時間スロット２４１−２４ｎに分割した繰返しフレーム２６を用いる。通信信号は、選ばれた符号を用い選ばれた時間スロット２４１−２４ｎ経由で送る。したがって、一つのフレーム２６は時間スロット２４１−２４ｎおよび符号の両方で区別できる多数の通信信号を搬送できる。一つの周波数スペクトラムの一つの時間スロットで一つの符号を拡散率１６で用いることを１リソース単位と呼ぶ。小さい拡散率を用いた場合は、一つの時間スロットでの一つの符号の使用は１リソース単位よりも大きいとみなされる。一つの時間スロットで一つの符号に拡散率１を用いた場合は１６リソース単位となる。
【０００５】
Ｎ個の時間スロットすなわちＳ１−ＳＮ、Ｍ個のチャネル符号すなわち符号１−符号Ｍ、Ｏ個の周波数スペクトラムすなわち周波数１−周波数Ｏを用いたシステムを図３のマトリクス２８に示す。マトリクス２８の中の空白の区画の各々が１リソース単位を表す（拡散率１６を用いた場合）。このマトリクス２８の合計リソース単位はＭ×Ｎ×Ｏである。通常のＴＤＤ通信システムは１５個の時間スロット、チャネル符号１６個および一つ以上の周波数スペクトラムを用いる。一つの通信信号のサポートに要する周波数帯域幅を考慮すると、その通信信号には１リソース単位以上が割り当てられる。
【０００６】
この種のシステムにおける一つの問題は、無線干渉がある場合のリソース単位の割当てである。無線干渉は、近傍の無線周波数信号源、隣接セルにおける送信信号からの相互干渉など多様な原因により生ずる。干渉レベルの高いリソース単位経由で通信信号を送ると、信号データ喪失の原因になり得る。
【０００７】
この問題に対処する一つの手法は、通信信号へのリソース単位の割当ての直前の各時間スロットで干渉レベルを測定するやり方である。受入れ可能な干渉レベルを示す時間スロットのリソース単位だけを通信信号に割り当てるのである。この手法は信号データ喪失の可能性を小さくすることはできるが、受入れ不可能な干渉レベルを伴うリソース単位全部を消去することはできない。また、割当て直前の干渉レベルの測定は貴重なシステム資源を用いた広範囲のモニタ動作を要する。したがって、リソース単位の割当てには代わりの手法が必要になっている。
【発明の概要】
【０００８】
符号分割多元接続を用いた無線時分割二重通信システムのセル内でリソース単位を割り当てる。各リソース単位は時間スロットおよび符号に関連づけられる。セルのリソース単位の中の選ばれたものについて、符号干渉レベルをそのリソース単位の時間スロット内でそのリソース単位の符号を用いて測定する。その符号干渉レベルを閾値と比較して受入れ可能なレベルであるか否かを判定する。それら受入れ可能な符号干渉レベルを示したリソース単位からの通信信号にリソース単位を割り当てる。
【好ましい実施例の説明】
【０００９】
ＴＤＤ／ＣＤＭＡ通信システムにおいて隣接セルからの干渉の影響を軽減したリソース単位割当てを可能にする。
【００１０】
図４は低速および高速の動的チャネル割当て（ＤＣＡ）の実働化に用いる基地局２０１およびユーザ装置ＵＥ２２１の簡略化した構成図である。図５は低速のＤＣＡの流れ図である。図５の流れ図を図６の優先順位マトリクス９２と関連づけて説明する。図６は、１６個のチャネル符号、１５個の時間スロットおよび一つの周波数を備えるＴＤＤ／ＣＤＭＡ通信システムにおける低速ＤＣＡの結果として得られた優先順位マトリクス９２を示す。マトリクス９２の中の各区画はあり得るリソース単位２４０個の中の一つを表す。
【００１１】
各時間スロットにおける無線周波数電力干渉レベルを干渉信号符号電力（ＩＳＣＰ）により、またはリンク利得によるセル間干渉測定により初めに測定する（ステップ８０）。ＩＳＣＰの測定は受信した通信信号のバーストのミドアンブルを用いて行うことができるが、それ以外のＩＳＣＰ測定手法を用いることもできる。各時間スロットの干渉レベルを基地局２０１、ＵＥ２２１−２２ｎまたは両方で行う。基地局２０１における時間スロット干渉レベル測定のために基地局アンテナ３０は多様な無線周波数信号を受信する。受信した信号をアイソレータ３２経由で復調器３６に送りベースバンド信号を生ずる。時間スロット干渉測定装置５２でそのベースバンド信号を信号処理して、フレーム２６中の各時間スロット２４１−２４ｎ内でＩＳＣＰなどにより干渉レベルを測定する。
【００１２】
ＵＥ２２１−２２ｎにおける時間スロット干渉測定のために、ＵＥのアンテナ６０は多様な無線周波数信号を受信する。受信した信号をアイソレータまたはスイッチ６２経由で復調器６４に送りベースバンド信号を生ずる。そのベースバンド信号を時間スロット干渉測定装置７８で信号処理し、各時間スロット２４１−２４ｎ内でＩＳＣＰなどにより干渉レベルを測定する。ＵＥ２２１−２２ｎの各々における時間スロット干渉測定の結果は通常はシグナリングで基地局２０１に送る。それら測定値をデータ源７８から基地局２０１へのアップリンクデータと多重化して送ることもできる。
【００１３】
基地局２０１の比較器５６は各時間スロットの干渉レベルを閾値と比較する（ステップ８２）。基地局２０１だけで時間スロット干渉測定値を得た場合は、それら測定値の各々をその閾値と比較する。ＵＥにおける測定値だけを用いる場合は、比較器５６は各時間スロットの干渉レベルの平均値を閾値と比較する。基地局２０１およびＵＥ２２１−２２ｎにおける測定値を用いる場合は、基地局測定値への重みづけを大きくした各時間スロットの測定値の荷重平均値を用いる。ＵＥ測定値相互間またはＵＥ測定値・基地局測定値間の差が大きい場合は、各々が自局の測定値を用いて時間スロットの利用可能性を判定する。代わりに、平均値を算出する手法も適用できる。一つの時間スロットの干渉レベルが閾値よりも高い場合は、その時間スロットに関わるリソース単位を全て消去して通信信号への潜在的割当てに備える（ステップ８４）。リソース単位割当て装置５８は蓄積ずみの優先順位マトリクス９２の中の消去ずみ時間スロットのリソース単位を全て消去する。図６により図解すると、時間スロット４では干渉レベルは受入れ不可能なレベルである。時間スロット４の欄のリソース単位には全て“Ｘ”を記入して可能性ある割当てから消去してある。さらに、それ以外の時間スロットも一斉通報など上記以外の目的への留保のために消去してあり、同様に“Ｘ”で示してある。
【００１４】
干渉レベルが受入れ可能なレベルにある時間スロットのリソース単位の各々について符号電力干渉レベルを測定する（ステップ８６）。符号電力測定値は基地局２０１の符号電力干渉測定装置５０またはユーザ装置ＵＥの符号電力干渉測定装置６８または測定装置の両方で生成する。ＵＥ２２１で生成した符号電力測定値はシグナリングで送るかアップリンクデータと多重化して送る。
【００１５】
図７は符号電力測定装置５０および６８の一つの具体例を示す。符号電力測定値の生成は検討対象の符号の搬送に用いる周波数スペクトラムについて行う。受信した周波数スペクトラムを表す信号９４を符号電力測定装置に入力する。入力信号９４は無線周波数信号でも中間周波数信号でもベースバンド信号でも差し支えない。符号相関装置９６は入力信号と検討対象符号との間の相関をとる。この符号相関装置９６は逆拡散器、相関器または整合フィルタで構成できる。検討対象符号が複素符号である場合は、上記相関器は相関をとるために複素乗算を行う。電力測定装置９８は、相関ずみのチップの電力を加算する。複素符号を用いた場合は加算結果は複素チップの大きさの和になる。上記の符号電力測定は測定対象の時間スロットの期間に行う。それら電力測定値を図６に示すとおり“１”乃至“１０”などのショートハンド値にインデックスする。
【００１６】
上記消去の対象外のリソース単位の符号干渉レベルの各々を比較器５４で閾値と比較する。基地局２０１だけで符号干渉測定値を生成した場合は、それら測定値を上記閾値と比較する。ユーザ装置ＵＥにおける測定値だけを用いた場合は比較器５４でそれら測定値の平均値をその閾値と比較する。基地局２０１およびＵＥ２２１−２２ｎの両方における測定値を用いる場合は、荷重平均を用いる。通常は基地局における測定値により大きい重みづけをする。干渉測定値をＵＥ２２１−２２ｎの各々に特有の値にすることもできる。ユーザ装置ＵＥ相互間またはＵＥ・基地局間で測定値が大きく異なる場合は、ユーザ装置ＵＥおよび基地局の各々は自局の測定値を用いる。ユーザ装置ＵＥ２２１−２２ｎの各々の測定値をそのユーザ装置へのリソース割当てに用いるように閾値と比較する。
【００１７】
リソース単位の符号干渉レベルが上記閾値よりも高い場合は、そのリソース単位を割当て対象から除く（ステップ８８）。リソース単位割当て装置５８は優先順位マトリクス９２の中のリソース単位を消去する。図６により図解すると、時間スロット２およびチャネル符号１に関連するリソース単位の干渉レベルは受入れ不可能なレベルであるがマトリクス９２では「ｘ」で示してある。リソース単位割当て装置５８は、受入れ可能なりソース単位の符号干渉レベルの指標も併せて優先順位マトリクス９２に蓄積している。優先順位マトリクス９２には、干渉レベルを「１」から「１０」までの値、すなわち十分な余裕で受入れ可能な符号干渉レベルを有する「１」から極めて低い符号干渉レベルを有する「１０」までの値で示してある。
【００１８】
基地局リソース単位割当て装置５８は基地局データ推算装置４８、チャネル推算装置、および拡散および調整系列挿入装置４２１−４２ｎに信号を送り、それら装置の用いるべき符号および時間スロットを制御する。チャネル推算装置４６およびデータ推算装置４８はアップリンク通信信号バーストおよび基地局スクランブル符号ｃ＊ｓｃｒａｍｂに割り当てられた時間スロットおよび適切な符号でベースバンド信号を信号処理する。その割り当てられた時間スロットおよび符号をチャネル推算装置４６およびデータ推算装置４８にリソース単位割当て装置５８から送る。チャネル推算装置４６はベースバンド信号の中の調整系列成分を通常用いて、インパルス応答などのチャネル情報を生ずる。データ推算装置４８はこのチャネル情報を用いて受信バーストの中のデータを推算する。
【００１９】
トラフィックチャネル経由などによりＵＥ２０１−２０ｎに送るべきデータはデータ発生器４４１−４４ｎで生ずる。それらデータには、リソース単位割当て装置５８が通信信号の所要周波数帯域幅に基づき一つまたは複数のリソース単位を割り当てる。拡散および調整系列挿入装置４２１−４２ｎの各々は、データを基地局スクランブル符号ｃ＊ｓｃｒａｍｂと混合し、そのデータをスペクトラム拡散し、拡散ずみの基準データを割り当てリソース単位の中の適切な時間スロットおよび符号で調整用系列と時間多重化する。この拡散および調整用系列挿入装置の出力を通信信号バーストと呼ぶ。各通信信号バーストを対応の増幅器４０１−４０ｎで増幅する。増幅ずみの通信信号バーストを上記以外の装置で生成した通信信号バーストと加算装置３８で加算する。加算ずみの通信信号バーストにより変調器３４で変調をかける。被変調信号をアイソレータ３２経由で図示のアンテナ３０、または代わりのアンテナアレーから放射する。放射された信号は無線インタフェース８０経由でＵＥ２２１−２２ｎに伝達される。
【００２０】
基地局リソース単位割当て装置はＵＥ２２１−２２ｎにリソース単位割当て信号を併せて送る。ＵＥのリソース単位割当て装置７６はそれらリソース単位割り手信号を用いて、そのＵＥのダウンリンクチャネルおよびアップリンクチャネル向けの割当てリソース単位を算定する。
【００２１】
受信したダウンリンクデータについては、チャネル推算装置６８およびデータ推算装置７０がダウンリンク通信信号バーストおよび基地局スクランブル符号ｃ＊ｓｃｒａｍｂに割り当てられた時間スロットおよび適切な符号の中の受信ベースバンド信号を信号処理する。割当て時間スロットおよび符号をリソース単位割当て装置５８からチャネル推算装置６８およびデータ推算装置７０に送る。チャネル推算装置はベースバンド信号の中の調整用系列を通常用いてチャネル情報を生ずる。データ推算装置７０はこのチャネル情報を用いて受信バーストの中のデータを推算する。アップリンクデータはデータ発生器７８で発生する。そのアップリンクデータに、通信信号の所要帯域幅に基づき一つまたは複数のリソース単位を割り当てる。拡散および調整用系列挿入装置７４はデータを基地局スクランブルｃ＊ｓｃｒａｍｂと混合し、そのデータをスペクトラム拡散し、拡散ずみのデータを割当てリソース単位の中の適切な時間スロットおよび符号で調整用系列と時間多重化する。割当てずみのリソース単位をリソース単位割当て装置７６から拡散および調整系列挿入装置７４に送る。この拡散および調整系列挿入装置７４から得られた系列を通信信号バーストと呼ぶ。この通信信号バーストを増幅器７２で増幅する。増幅した通信信号バーストにより変調器６６で無線周波数搬送波を変調して、その信号をアイソレータ６２経由でアンテナまたは代わりのアンテナアレーに送り放射する。放射された信号は無線インタフェース８０を通って基地局２０１に伝達される。
【００２２】
リソース単位割当て装置５８の用いる優先順位マトリクス９２は１フレーム以上ごとの周期で更新できる。この優先順位マトリクス９２は統計的分析を用いて１分ごとの周期乃至１日ごとの周期で更新できる。一つの手法では、ユーザ装置２２１−２２ｎは互いに相続く受信バーストと送信バーストとの間の遊休期間に時間スロット干渉レベルおよび符号干渉レベルを測定する。その測定値を基地局２０１に送る。もう一つの手法では、測定を周期的に行う。さらにもう一つの手法では、基地局２０１からＵＥ２２１−２２ｎに測定を指示する。すなわち、測定値をオンデマンド式に生ずる。基地局２０１はこれらの測定値に基づいて優先権マトリクス９２を更新する。それに従って更新したりソース単位割当て信号を基地局２０１からＵＥ２２１−２２ｎに送る。
【００２３】
図８は高速ＤＣＡの流れ図であり、図４および図６と関連づけて説明する。更新のサポートのために、セルにはアップリンク用およびダウンリンク用のリソース単位を割り当てる。割り当てられたリソース単位の数はアップリンクおよびダウンリンクの所要帯域幅に基づいて定まる。そのセルが追加のリソース単位を要する場合は、リソース単位割当て装置５８が追加のリソース単位を選択してアップリンク通信信号およびダウンリンク通信信号にそれを割り当てる（ステップ１０６）。リソース単位割当て装置５８は、優先順位マトリクス９２を用いて、利用可能なリソース単位の中から対応数のリソース単位を割り当てる（ステップ９４）。逆に所要リソース単位が減った場合は、リソース単位割当て装置５８はそれらリソース単位を空き状態にする。
【００２４】
リソース単位選択の一つの手法は最初に利用可能になったリソース単位の選択である。割当て装置５８は、この手法を用いて、受入れ可能で利用できる最初の時間スロットに到達するまで優先順位マトリクスをサーチする。マトリクス９２の図解によって説明すると、リソース単位二つが要求された場合は、符号１，時間スロット１から始めて、まず左から右へ進み、符号１，時間スロット５および６を選択する。これら時間スロットは最初にサーチの網にかかる受入れ可能な時間スロットである。
【００２５】
もう一つの手法は最小干渉値チャネルのサーチである。割当て装置５８で最低符号干渉のリソース単位を優先順位マトリクス９２を通じてサーチする。図解を用いると、一つのリソース単位を選択する場合は、値「１０」の符号５、スロット１１を選択する。この手法はリソース単位選択の前にマトリクス９２全体をサーチするので所要処理時間がより長くなる。しかし、選択されたリソース単位は利用可能なリソース単位の中で最低の干渉レベルを有するので、通信信号干渉は低下する。
【００２６】
適応型電力制御を用いたシステムでは互いに相続く時間スロットの割当てが有利である。その種のシステムでは、改変を加えた手法も利用できる。手当たり次第手法では、互いに相続く時間スロットの中の先頭から利用可能な数の時間スロットを割り当てる。例えば、三つの時間スロットの割当てを要する場合は、符号１、Ｓ６−Ｓ７を選択する。最低干渉レベル手法では、互いに相続く最低干渉値の時間スロットを選択する。例えば、三つの時間スロットの割当てを要する場合は、符号１、Ｓ１１−Ｓ１３を選択する。
【００２７】
リソース単位割当ての一つの手法は、使うべき時間スロット数を最小にするやり方である。利用する時間スロット数を減らすことによって、隣接セルへの干渉が少なくなる。複数閾値手法の利用によって、リソース単位の初期割当てが必要な場合に、干渉レベルで定まる利用可能な符号の数が最大の時間スロットをシステムは見出す。その結果、最小数の時間スロットが所定数のリソース単位に割り当てられる。
【００２８】
初期割当てのあと、符号を通信信号に割当てずみではあるが手当たり次第式の利用可能な符号をまだ備えている時間スロットにリソース単位を割り当てる。この割当てによって追加の時間スロットの使用を防ぐ。割当てずみの時間スロットを用いたあと、利用可能な符号の数が最大の時間スロットを最初に割り当てる形で新たな時間スロットの割当てを行う。
【００２９】
図１１は時間スロットへの割当て符号数の最大値を制御する手法を示す。使用する時間スロット数を制限するのが通常望ましい。使用時間スロット数の制限によって、それら残りの時間スロットを干渉を伴う他のセルに使用できるようにする。
【００３０】
各時間スロットについて干渉レベルを測定する（ステップ１２４）。各時間スロットで用いるべき符号の数を算定するために、複数閾値手法を用いる。各時間スロットについての干渉測定値をそれら複数閾値と比較して（ステップ１２６）、割り当てるべき時間スロット数の最大値を比較により算定する（ステップ１２８）。一つの複数閾値比較には、図９に示すとおり、二つの閾値Ｉ１およびＩ２を用いる。干渉レベル測定値がＩ１よりも低い場合は複数の符号１１０をその時間スロットに割り当てる。干渉レベル測定値がＩ１とＩ２との間の値である場合は、一つの符号１１２をそれら時間スロットに割り当てる。干渉レベル測定値がＩ２を超える場合は、その時間スロットでは符号を用いない（１１４）。
【００３１】
もう一つの複数閾値比較手法では三つ以上の閾値Ｉ１、Ｉ２、・・・Ｉｎを用いる。干渉レベル測定値がＩｎを超える場合は符号を用いない（１２２）。ＩｎとＩｎ−１との間の値である場合は、一つの符号を割り当てる（１２０）。その時間スロットについて利用可能な符号は、干渉レベル測定値がＩ１以下になるまで、閾値Ｉｎ−２、Ｉｎ−３などの各々一つにつき一つずつ増加する。干渉レベル測定値がＩ１よりも低い場合は、ｎ個の符号をその時間スロットに利用できる（１１８）。
【図面の簡単な説明】
【００３２】
【図１】無線スペクトラム拡散ＴＤＤ／ＣＤＭＡシステムを示す図。
【図２】繰返しフレームの中の時間スロットの概略図。
【図３】チャネル符号、時間スロットおよび周波数で区別したリソース単位の概略図。
【図４】基地局およびユーザ装置の簡略化した図。
【図５】低速度の動的チャネル割当ての流れ図。
【図６】優先順位マトリクスの例。
【図７】符号電力干渉レベル測定装置。
【図８】高速度の動的チャネル割当ての流れ図。
【図９】二閾値符号割当ての図解。
【図１０】複数閾値符号割当ての図解。
【図１１】複数閾値符号割当ての流れ図。
【符号の説明】
【００３３】
２０１−２０７      基地局
２２１−２２３      ユーザ装置ＵＥ
２４１−２４ｎ      時間スロット
２８              リソース単位マトリクス
８０              各時間スロットで干渉レベルを測定する
８２              各時間スロットについて、干渉レベル測定値を閾値と比較する。
８４              閾値を超える干渉レベルを有する時間スロットでリソース単位を全て消去する
８６              非消去時間スロットの各々について、そのリソース単位の符号干渉レベルを測定する
８８              閾値を超える符号干渉レベルを有するリソース単位を全て消去する
９０              非消去リソース単位の各々について、干渉レベルを記録する
１０６              通信信号サポートのためのリソース単位を要求する
１０８              表で利用可能なリソース単位の中から選択する
１２４              各時間スロットで干渉レベルを測定する
１２６              干渉レベル測定値を複数の閾値と比較する
１２８              閾値との比較の結果に基づき各スロットに割り当てる
符号の数の最大値を算定する